(57)【要約】【課題】板本体が非磁性体であっても、磁石を有する収納ラックを取り付けることができる正面板を提供する。【解決手段】物品を収納するキャビネットの正面に設けられ前記物品の収納及び取り出しの際に開閉される正面板１である。表面が化粧加工された非磁性体よりなる板本体２と、この板本体２の裏面２ａのほぼ全域に取り付けられた磁性体板３とを備えている。【選択図】      図２
2009279204.tif 000002
【特許請求の範囲】
【請求項１】
物品を収納するキャビネットの正面に設けられ前記物品の収納及び取り出しの際に開閉される正面板において、
表面が化粧加工された非磁性体よりなる板本体と、この板本体の裏面のほぼ全域に取り付けられた磁性体板とを備えていることを特徴とする正面板。
【請求項２】
前記磁性体板の端部を覆う被覆部材を更に備えている請求項１に記載の正面板。
【請求項３】
前記被覆部材は、前記キャビネットが有するキャビネット本体の正面部と接触するパッキン部材からなる請求項２に記載の正面板。
【請求項４】
物品を収納する抽斗を備えた前記キャビネットの当該抽斗用の正面板であって、
前記板本体は、裏面に、前記抽斗を構成する側枠部材が取り付けられる取付部を有し、前記磁性体板に、前記側枠部材との干渉を防止する逃げ部が設けられている請求項１〜３のいずれか一項に記載の正面板。
【請求項５】
前記キャビネットの開口部をヒンジによって開閉する開閉扉として用いられる正面板であって、
前記板本体は、裏面に、前記ヒンジが取り付けられる取付部を有し、前記磁性体板に、前記ヒンジとの干渉を防止する逃げ部が設けられている請求項１〜３のいずれか一項に記載の正面板。
【請求項６】
キャビネット本体と、当該キャビネット本体の正面に設けられ物品の収納及び取り出しの際に開閉される正面板と、を有し、
前記正面板は、表面が化粧加工された非磁性体よりなる板本体と、この板本体の裏面のほぼ全域に取り付けられた磁性体板とを備えていることを特徴とするキャビネット。
【発明の詳細な説明】
【技術分野】
【０００１】
本発明は、キャビネットに設けられる正面板及びキャビネットに関する。
【背景技術】
【０００２】
キッチンユニットのキャビネットには、ヒンジによって開閉される扉や抽斗等が設けられており、キャビネット内に鍋やフライパン等の調理器具を収納することができる。そして、前記扉や前記抽斗の前部にある板（以下、正面板という）の裏面に、収納ラックが取り付けられる構造が提案されている（例えば特許文献１参照）。
特許文献１に記載の収納ラックは磁石を有しており、この磁石によって収納ラックを正面板の裏面に取り付けることができる。磁石が採用されていることによって、収納ラックを正面板に対して容易に着脱することができる。
【０００３】
【特許文献１】特開平８−３０８７１３号公報
【発明の開示】
【発明が解決しようとする課題】
【０００４】
前記収納ラックを正面板に磁石によって取り付けるためには、正面板が磁性体である必要がある。しかし、木製の板によって正面板が構成されているものがある。
そこで、本発明は、板本体が非磁性体であっても、磁石を有する収納ラックを取り付けることができる正面板、及び、この正面板を有するキャビネットを提供することを目的とする。
【課題を解決するための手段】
【０００５】
本発明は、物品を収納するキャビネットの正面に設けられ前記物品の収納及び取り出しの際に開閉される正面板であり、表面が化粧加工された非磁性体よりなる板本体と、この板本体の裏面のほぼ全域に取り付けられた磁性体板とを備えている。
この正面板によれば、板本体が非磁性体であっても、裏面に、磁石を有する収納ラックを取り付けることができる。さらに、磁性体板は板本体の裏面のほぼ全域に取り付けられていることから、収納ラックの取り付け位置を上下調整・左右調整することができるので、収納する物品の種類に応じて当該収納ラックの高さ位置及び左右位置の一方又は双方を変更することが可能となる。
また、板本体の裏面のほぼ全域に磁性体板が取り付けられていることから、正面板の裏面のほぼ全域が磁性体板によって構成され、裏面が煩雑とならず、外観が損なわれることを防止することができる。
【０００６】
また、前記正面板は、前記磁性体板の端部を覆う被覆部材を更に備えているのが好ましい。前記磁性体板を例えば鋼板とすることができ、この場合、鋼板の端部がシャープエッジとなることもあるが、前記正面板によれば、磁性体板の端部によって使用者の手指を傷つけることを防止することができる。また、磁性体板は被覆部材によって縁取られ、正面板の裏面における外観をより良くすることができる。
また、この正面板において、前記被覆部材は、前記キャビネットが有するキャビネット本体の正面部と接触するパッキン部材からなるのが好ましい。この正面板によれば、パッキン部材が、使用者の手指を傷つけることを防止する前記被覆部材を兼ねることができ、部品数を少なくすることができる。
【０００７】
また、前記正面板は、物品を収納する抽斗を備えた前記キャビネットの当該抽斗用の正面板であって、前記板本体は、裏面に、前記抽斗を構成する側枠部材が取り付けられる取付部を有し、前記磁性体板に、前記側枠部材との干渉を防止する逃げ部が設けられているものとすることができる。前記板本体の裏面のほぼ全域に前記磁性体板が取り付けられているが、この磁性体板に前記逃げ部が設けられていることから、側枠部材を板本体の裏面に取り付けることができる。
【０００８】
または、前記正面板は、前記キャビネットの開口部をヒンジによって開閉する開閉扉として用いられる正面板であって、前記板本体は、裏面に、前記ヒンジが取り付けられる取付部を有し、前記磁性体板に、前記ヒンジとの干渉を防止する逃げ部が設けられているものとすることができる。前記板本体の裏面のほぼ全域に前記磁性体板が取り付けられているが、この磁性体板に前記逃げ部が設けられていることから、ヒンジを板本体の裏面に取り付けることができる。
【０００９】
また、本発明のキャビネットは、キャビネット本体と、当該キャビネット本体の正面に設けられ物品の収納及び取り出しの際に開閉される正面板と、を有し、前記正面板は、表面が化粧加工された非磁性体よりなる板本体と、この板本体の裏面のほぼ全域に取り付けられた磁性体板とを備えている。
このキャビネットによれば、正面板が備えている板本体が非磁性体であっても、裏面に、磁石を有する収納ラックを取り付けることができる。さらに、磁性体板は板本体の裏面のほぼ全域に取り付けられていることから、収納ラックの取り付け位置を上下調整・左右調整することができるので、収納する物品の種類に応じて当該収納ラックの高さ位置及び左右位置の一方又は双方を変更することが可能となる。
また、板本体の裏面のほぼ全域に磁性体板が取り付けられていることから、正面板の裏面のほぼ全域が磁性体板によって構成され、裏面が煩雑とならず、外観が損なわれることを防止することができる。
【発明の効果】
【００１０】
本発明によれば、板本体が非磁性体である正面板の裏面に、磁石を有する収納ラックを取り付けることができる。また、正面板の裏面の外観が損なわれることを防止することができるので、この正面板がキャビネットに使用されることで、外観の良いキャビネットが得られる。
【発明を実施するための最良の形態】
【００１１】
以下、本発明の実施の形態を図面に基づいて説明する。
図１は本発明のキャビネットの実施の一形態を示す斜視図である。図１のキャビネット１０は、キッチンユニット３１に組み込まれている。キャビネット１０は、シンク３２及びガス調理器３３を取り付けることができると共に、内部に収納空間が形成されたキャビネット本体１１を備えている。前記収納空間を活用するために、キャビネット１０は、物品を収納する抽斗１３を備えている。この抽斗１３は、前後に移動することができ、鍋やフライパン等の調理器具を収納することができる。なお、使用者がキッチンユニット３１の正面に立った状態で、当該使用者が立つ側が前であり、キッチンユニット３１の奥側が後である。
【００１２】
抽斗１３は、キャビネット本体１１内に設けられたレール１９に沿って前後移動可能であり、抽斗１３は、底板２３、後部の背板２４、左右の側枠部材１４及び前部の正面板１を備えている。正面板１は、キャビネット本体１１の正面（前面）に設けられ、正面板１の表面１ａ（前面）に取っ手２５が取り付けられている。使用者は、この取っ手２５を掴むことで正面板１を含む抽斗１３を開閉させ、物品の取り出し及び収納を行なうことができる。
【００１３】
図２は、裏面１ｂ側から見た正面板１の斜視図である。図３は正面板１の側部の断面図（図２のＩＩＩ矢視における断面図）である。正面板１は、表面２ｂが化粧加工された非磁性体よりなる板本体２と、この板本体２の裏面２ａのほぼ全域に取り付けられた一枚の磁性体板３とを備えている。
前記板本体２は矩形の板であり、例えば木製の板からなり非磁性体である。板本体２の表面２ｂ及び側周面２ｃには化粧加工が施されており、化粧加工として塗装や樹脂シートが貼り付けられている。
【００１４】
前記磁性体板３は板本体２よりも僅かに小さい輪郭形状を持つ薄板であり、例えば鋼板（鉄板）からなり磁性体である。磁性体板３の裏面３ｂは防錆処理（塗装）が施されている。磁性体板３は、板本体２よりも僅かに小さい輪郭形状を持つこと、及び、後述する逃げ部７ａとなる欠損部が部分的に設けられていることにより、板本体２の裏面２ａのほぼ全域に磁性体板３が取り付けられている構成となる。磁性体板３は、板本体２の裏面２ａに、接着剤９（図３参照）又は粘着テープによって貼り付けられたり、ネジによって取り付けられたりしている。
【００１５】
正面板１は、磁性体板３の四方の端部３ａを覆う被覆部材を更に備えている。被覆部材は、前記キャビネット本体１１（図１参照）の正面部１２と接触するパッキン部材４からなる。パッキン部材４は、板本体２の裏面２ａにおける四辺の縁部に設けられている。前記正面部１２は、キャビネット本体１１を構成する壁板部材の端面等である。パッキン部材４は、樹脂製又はゴム製であり、正面板１を閉じた場合に正面板１と前記正面部１２との間に介在することで、両者間を密閉することができ、また、抽斗１３を閉じた際の衝撃を和らげるものである。
【００１６】
図３のパッキン部材４は、板本体２の裏面２ａに接触しているベース部４ａと、前記正面部１２に当接する当接部４ｂとを有している。ベース部４ａが、磁性体板３の左右方向（及び上下方向）の外側の位置で、釘２６によって板本体２に固定される。ベース部４ａには段付き部４ｃが形成されており、ベース部４ａは、磁性体板３の端部３ａの裏面３ｂを覆う突出部４ｄを有している。突出部４ｄは磁性体板３の裏面３ｂ側へ向かって延びるように形成されている。そして、この突出部４ｄを含むベース部４ａ上に前記当接部４ｂが設けられている。
当接部４ｂは内部に空間が形成されており、この空間が縮小されるようにして当接部４ｂが弾性変形することによって、抽斗１３を閉じた際の衝撃が和らげられる。
【００１７】
当接部４ｂはベース部４ａと一体であるが、当接部４ｂはベース部４ａよりも軟質の材料によって形成されている。例えば当接部４ｂは軟質樹脂によって形成され、ベース部４ａは硬質樹脂により形成されている。当接部４ｂを軟質とすることによって、抽斗１３を閉じた際の衝撃を和らげる作用を高めることができる。ベース部４ａを硬質とすることによって、パッキン部材４を板本体２に強固に固定することができる。
【００１８】
図３において、板本体２の裏面２ａは面一に形成されていることから、この裏面２ａに磁性体板３を貼り合わせると、磁性体板３は裏面２ａから僅かに突出する。また、磁性体板３の端部３ａはシャープエッジ（角形状）となっている。そこで、磁性体板３の四方の端部３ａをパッキン部材４が被覆することにより、磁性体板３の端部３ａによって使用者の手指を傷つけることを防止することができる。さらに、正面板１に必要であるパッキン部材４が、使用者の手指を傷つけることを防止する被覆部材を兼ねることができ、部品数を少なくすることができる。また、正面板１にパッキン部材４を設けていることにより、キャビネット本体１１側にパッキン部材が不要となる。また、磁性体板３の端部３ａをパッキン部材４が被覆していることにより、磁性体板３の端部３ａの防錆処理を不要としてもよい。
【００１９】
図４は、別のパッキン部材４４が採用された場合の断面図である。図４のパッキン部材４４は、図３のパッキン部材４と比べて当接部の形状が異なる。図３のパッキン部材４の当接部４ｂは、ベース部４ａの幅方向の両端部に跨って連続して形成されているが、図４のパッキン部材４４の当接部４４ｂの幅方向一端部（外側の端部）は、ベース部４４ａの幅方向の一端部（外側の端部）と連続しているが、当接部４４ｂの幅方向他端部（内側の端部）は、ベース部４４ａの幅方向の他端部（内側の端部）と離れている。図４のパッキン部材４４におけるその他の構成及び機能は、図３のパッキン部材４の構成及び機能と同様である。
【００２０】
図２において、板本体２は、その裏面２ａに、抽斗１３を構成する前記側枠部材１４が取り付けられる取付部６ａを有している。図２の実施形態では、板本体２の裏面２ａに、側枠部材１４の端部の取り付け軸１４ａを挿入させる複数の孔が、取付部６ａとして形成されている。そして、磁性体板３には、この取付部６ａに取り付けられる側枠部材１４との干渉を防止する逃げ部７ａが設けられている。図２では、磁性体板３の左右の下部に、逃げ部７ａとして切欠部が形成されている。板本体２の裏面２ａに磁性体板３が取り付けられているが、この磁性体板３に逃げ部７ａが設けられていることから、側枠部材１４を板本体２の裏面２ａに取り付けることができる。
【００２１】
前記実施形態では、キッチンユニット３１のキャビネット１０が備えている抽斗１３用として、正面板１を説明した。つまり、図２に示している正面板１は、抽斗１３を備えたキャビネット１０の当該抽斗１３用のものである。他の実施形態として（図５参照）、正面板１は、キャビネット１０（キャビネット本体１１）の開口部１１ａを、ヒンジ１５によって開閉する開閉扉として用いられるものであってもよい。
開閉扉として用いられる正面板１は図１のキッチンユニット３１用であってもよいが、図５に示しているように、洗面台４１用とすることができる。
【００２２】
図５のキャビネット１０は洗面台４１に組み込まれている。キャビネット１０は、洗面ボウル４２及び水栓吐水部４３を取り付けることができると共に、内部に収納空間が形成されたキャビネット本体１１を備えている。
図６は、裏面１ｂ側から見た図５の正面板１の斜視図である。この正面板１は、表面２ｂが化粧加工された非磁性体よりなる板本体２と、この板本体２の裏面２ａのほぼ全域に取り付けられた一枚の磁性体板３とを備えている。
【００２３】
図６の正面板１は図２の構成と同様である。板本体２は矩形の板であり、例えば木製の板からなり非磁性体である。板本体２の表面２ｂ及び側周面２ｃには化粧加工が施されており、化粧加工として塗装や樹脂シートが貼り付けられている。
前記磁性体板３は板本体２よりも僅かに小さい輪郭形状を持つ薄板であり、例えば鋼板（鉄板）からなり磁性体である。磁性体板３の裏面３ｂは防錆処理が施されている。磁性体板３は、板本体２よりも僅かに小さい輪郭形状を持つこと、及び、後述する逃げ部７ｂとなる欠損部が部分的に設けられていることにより、板本体２の裏面２ａのほぼ全域に磁性体板３が取り付けられている構成となる。磁性体板３は、板本体２の裏面２ａに、接着剤又は粘着テープによって貼り付けられたり、ネジによって取り付けられたりしている。
また、図２の実施形態と同様に、正面板１は、磁性体板３の四方の端部３ａを覆う被覆部材を更に備えており、被覆部材はパッキン部材４からなる。パッキン部材４は前記実施形態と同じである。
【００２４】
板本体２は、その裏面２ａに、前記ヒンジ１５が取り付けられる取付部６ｂを有している。図６の実施形態では、板本体２の裏面２ａに、ヒンジ１５の一部を挿入させる凹部が、取付部６ｂとして形成されている。そして、磁性体板３には、この取付部６ｂに取り付けられるヒンジ１５との干渉を防止する逃げ部７ｂが設けられている。図６では、磁性体板３の左右方向一方側の縁部に、逃げ部７ｂとして切欠部が二箇所形成されている。板本体２の裏面２ａに磁性体板３が取り付けられているが、この磁性体板３に逃げ部７ｂが設けられていることから、ヒンジ１５を板本体２の裏面２ａに取り付けることができる。
【００２５】
以上の各実施の形態の正面板１によれば、板本体２の裏面２ａのほぼ全域に一枚の磁性体板３が取り付けられていることから、正面板１の裏面１ｂのほぼ全域が当該磁性体板３の裏面３ｂによって構成され、当該裏面１ｂが煩雑とならず、外観が損なわれることを防止することができる。さらに、板本体２の裏面２ａにおいて、磁性体板３の四方の端部３ａがパッキン部材（被覆部材）４によって覆われていることから、磁性体板３はパッキン部材４によって縁取られ、外観をより一層良くすることができる。これにより、この正面板１がキャビネット１０の一部として使用されることにより、外観の良いキャビネット１０が得られる。
【００２６】
さらに、本発明のキャビネット１０は、磁石を有する収納ラック２１（図７）を更に備えている。そして、板本体２の裏面２ａのほぼ全域に一枚の磁性体板３が取り付けられていることから、板本体２が非磁性体であっても、前記収納ラック２１を正面板１の裏面１ｂのほぼ全域に取り付けることができる。さらに、この収納ラック２１の取り付け位置を上下調整することができ、収納する物品の種類に応じて当該収納ラック２１の高さ位置を変更することが可能となる。
【００２７】
収納ラック２１について説明する。
図７は、収納ラック２１の分解斜視図である。この収納ラック２１は、例えば図１に示したキッチンユニット３１等に設けられた抽斗１３の内の有効高さの大きい正面板１の裏面（内壁面）に取り付けて使用される。
【００２８】
収納ラック２１は、棚部材１１３と、棚枠部材１１４とを備えている。棚枠部材１１４は、左右の側壁部１１５と、後壁部１１６とを備えている。左右の側壁部１１５と後壁部１１６と正面板１の裏面とで囲まれた空間が、収納ラック２１における物品の収納空間となる。
側壁部１１５は、合成樹脂製又は金属製の板材からなり、中央部には左右方向に貫通する開口１１８が形成されている。側壁部１１５の上縁は後下がり傾斜状に形成されている。側壁部１１５の内側面には、上縁から下方に延びる凹溝１１９が形成されており、この凹溝１１９には、収納ラック２１内を前後に仕切る仕切りバー１２０が着脱可能に取り付けられている。
【００２９】
側壁部１１５の前端部には、収納ラック２１を正面板１の裏面１ｂに取り付けるための取付部１２２が左右内方に向けて延設するように一体形成されている。取付部１２２は、内部に設けられた磁石１００によって正面板１の裏面１ｂに取り付けられる。
後壁部１１６は、左右の側壁部１１５の後端縁上部に架設されている。後壁部１１６は、金属製又は合成樹脂製の板材からなり、上下方向の寸法よりも左右方向の寸法が大きい帯形状に形成されている。後壁部１１６の上下方向の寸法は側壁部１１５の上下方向の寸法よりも小さく、後壁部１１６の下側において、左右の側壁部１１５の間が後方に開放されている。
【００３０】
左右の側壁部１１５の下端部には、前後一対の連結バー１２４Ｆ，１２４Ｒが架設されている。左右の側壁部１１５は、後壁部１１６と連結バー１２４Ｆ，１２４Ｒとによって相互に連結されている。連結バー１２４Ｆ，１２４Ｒは、金属製又は合成樹脂製の中空又は中実の棒材であり、本実施の形態では、断面円形状の丸棒材が用いられている。この連結バー１２４Ｆ，１２４Ｒは、後述するように棚部材１１３が取り付けられる被取付部（被係合部）として機能する。
【００３１】
棚部材１１３は、合成樹脂製又は金属製であり、長方形の板形状に形成された第１の棚部１２６と、長方形の板形状に形成された第２の棚部１２７とを備えている。第１の棚部１２６と、第２の棚部１２７とは、短手方向の一端部同士（長辺同士）が連結され、Ｌ字形状をなすように直交している。
棚部材１１３は、第１の棚部１２６を使用する第１の姿勢（図８（ａ）参照）と、第２の棚部１２７を使用する第２の姿勢（図８（ｂ）参照）とに切換可能に棚枠部材１１４に取り付けられている。なお、図８において、後壁部１１６には、収納ラック２１内を左右に仕切る仕切り板１２８が左右方向にスライド可能に取り付けられている。
【００３２】
図９は、棚枠部材１１４に第１の姿勢で棚部材１１３を取り付けた場合の収納ラック２１の縦断面図である。第１の棚部１２６の短手方向（前後方向）の両端部の下面には、前後一対の係合部（棚取付部）１２９，１３０が設けられている。前係合部１２９は、下方に開口した断面略Ｃ字状に形成され、前側の連結バー１２４Ｆに対して上側から係合（嵌合）される。後係合部１３０は、第１の棚部１２６の後端縁から下方及び前方へ延びるように略Ｌ字形状に形成されている。後係合部１３０と第１の棚部１２６とによって前方へ開口した断面略コ字の溝が形成され、この溝内に後側の連結バー１２４Ｒを収めるようにして、後係合部１３０が当該連結バー１２４Ｒに係合される。なお、前係合部１２９及び後係合部１３０は、棚部材１１３の左右方向の全幅に亘って形成されているが、幅方向の複数箇所（例えば両端と中央等）に形成されていてもよい。
【００３３】
第１の棚部１２６は、前後の連結バー１２４Ｆ，１２４Ｒ上で前後方向に沿うように横向き姿勢で配置され、第２の棚部１２７は、第１の棚部１２６の後端部から上方へ向けて延び、縦向き姿勢で配置されている。この第２の棚部１２７は、後壁部１１６の下側で、後壁部１１６と略同じ前後位置に配置されている。したがって、棚部材１１３を第１の姿勢とした場合、第１の棚部１２６が実質的な棚として機能し、第２の棚部１２７は、後壁部１１６の下側開放部分を塞ぐ壁として機能している。
【００３４】
図１０は、棚枠部材１１４に第２の姿勢で棚部材１１３を取り付けた場合の収納ラック２１の縦断面図である。第１の棚部１２６に形成された前係合部１２９は、前側の連結バー１２４Ｆに係合しているが、後係合部１３０は、後側の連結バー１２４Ｒに係合していない。そして、棚部材１１３は、前側の連結バー１２４Ｆにぶら下がった状態で連結されている。したがって、棚部材１１３の第２の姿勢は、第１の姿勢から前側の連結バー１２４Ｆを中心に下方へ略９０度回転した姿勢となっている。なお、棚部材１１３を第１の姿勢から第２の姿勢に変更する場合、棚部材１１３の前係合部１２９及び後係合部１３０を一旦連結バー１２４Ｆ，１２４Ｒから取り外し、棚部材１１３の前係合部１２９を前側の連結バー１２４Ｆに連結する。
【００３５】
第１の棚部１２６は、前側の連結バー１２４Ｆから下方向へ向けて延び、縦向き姿勢で配置されている。また、第２の棚部１２７は、第１の棚部１２６の下端から後方向へ向けて延び、前後方向に沿うように横向き姿勢で配置されている。したがって、第２の姿勢では、第２の棚部１２７が実質的な棚として機能する。第１の棚部１２６は、棚枠部材１１４の下方に所定間隔をあけて第２の棚部１２７を配置した状態で連結バー１２４Ｆに連結させるための連結部材として機能している。第２の姿勢における第２の棚部１２７は、第１の姿勢における第１の棚部１２６よりも低い位置に配置されている。
【００３６】
棚部材１１３を第２の姿勢とした場合、後係合部１３０が正面板１の裏面１ｂに当接し、第２の棚部１２７は、やや後上がり傾斜状に配置されるように姿勢が保持されている（水平方向に対する第２の棚部１２７の傾斜角度をθで示す）。すなわち、第２の姿勢において、後係合部１３０は第２の棚部１２７の姿勢を後上がり傾斜状に設定する姿勢設定部として機能している。後係合部１３０の前端には、前方へ突出（屈曲）して正面板１の裏面１ｂに当接する当接部１３２が形成されている。
【００３７】
以上の構成において、棚部材１１３を図９に示すように第１の姿勢とし、第１の棚部１２６を使用した場合、背の低い物品（例えば、調味料容器Ｙ１等）の出し入れを容易に行うことができる。しかし、この場合、食品包装用フィルムの箱のように背の高い収納物Ｙ２を収納すると、図１１に示すように、当該収納物Ｙ２が正面板１よりも上方に突出し、抽斗１３を閉めることができなくなる。
したがって、専ら背の高い収納物Ｙ２を収納する用途で収納ラック２１を使用する場合には、図１０に示すように棚部材１１３を第２の姿勢とし、第２の棚部１２７を使用する。これによって、抽斗１３の開閉を妨げることなく背の高い収納物Ｙ２を収納することが可能となる。
【００３８】
図９に示すように、棚部材１１３を第１の姿勢とした場合、第２の棚部１２７は後壁部１１６の下側開放部分を塞ぐ壁として機能しているので、収納物Ｙ１の落下を防止することができる。
図１０に示すように、棚部材１１３を第２の姿勢とした場合、第２の棚部１２７は後上がり傾斜状に配置されるので、第２の棚部１２７によって支持された収納物Ｙ２は正面板１の裏面１ｂに凭れるような姿勢となる。そのため、当該収納物Ｙ２が後側に倒れるのを防止することができ、抽斗１３に対する調理器具等の出し入れの際に当該収納物Ｙ２が邪魔になるのを防止することができる。
【００３９】
前係合部１２９や前側の連結バー１２４Ｆは、棚部材１１３を第１の姿勢とした場合と第２の姿勢とした場合との双方で使用されるため、各姿勢用に個別の係合部や連結バーを設ける場合に比べて部品点数を少なくすることができ、製造コストを低減することができる。
【００４０】
また、本発明の前記正面板１及び前記キャビネット１０は、図示する形態に限らず本発明の範囲内において他の形態のものであっても良い。図２の逃げ部７ａを切欠部として説明したが、取付部６ａに取り付けられる側枠部材１４の取り付け軸１４ａとの干渉を防止するために、逃げ部７ａを当該取り付け軸１４ａが挿通する孔としてもよい（図示せず）。
【００４１】
また、前記収納ラック２１は、抽斗１３の正面板１の裏面に取り付けて使用されているが、これに限定されるものではなく、例えば、図５に示した開閉扉とした正面板１の裏面に取り付けて使用することも可能である。但し、収納ラック２１は、例えば抽斗１３の内部のように高さの制限がある場所に取り付けて使用する場合により有用である。
【図面の簡単な説明】
【００４２】
【図１】本発明のキャビネットの実施の一形態を示す斜視図である。
【図２】裏面側から見た正面板の斜視図である。
【図３】正面板の側部の断面図である。
【図４】別のパッキン部材４４を採用した場合の断面図である。
【図５】本発明のキャビネットの他の実施の形態を示す斜視図である。
【図６】裏面側から見た正面板の斜視図である。
【図７】収納ラックの分解斜視図である。
【図８】（ａ）は、棚枠部材に第１の姿勢で棚部材を取り付けた場合の収納ラックの斜視図、（ｂ）は、棚枠部材に第２の姿勢で棚部材を取り付けた場合の収納ラックの斜視図である。
【図９】図８（ａ）に示される収納ラックの縦断面図である。
【図１０】図８（ｂ）に示される収納ラックの縦断面図である。
【図１１】図８（ａ）に示される収納ラックに背の高い収納物を収納した状態を示す側面図である。
【符号の説明】
【００４３】
１  正面板
２  板本体
２ａ  裏面
２ｂ  表面
３  磁性体板
３ａ  端部
４  パッキン部材（被覆部材）
６ａ  取付部
６ｂ  取付部
７ａ  逃げ部
７ｂ  逃げ部
１０  キャビネット
１１  キャビネット本体
１１ａ  開口部
１２  正面部
１３  抽斗
１４  側枠部材
１５  ヒンジ
２１  収納ラック
４４  パッキン部材（被覆部材）
【図１】
2009279204.tif 000003
【図２】
2009279204.tif 000004
【図３】
2009279204.tif 000005
【図４】
2009279204.tif 000006
【図５】
2009279204.tif 000007
【図６】
2009279204.tif 000008
【図７】
2009279204.tif 000009
【図８】
2009279204.tif 000010
【図９】
2009279204.tif 000011
【図１０】
2009279204.tif 000012
【図１１】
2009279204.tif 000013